(57)【要約】【課題】野外で簡単に温湯シャワー等を供給することのできる携帯型温湯器を提供する。【解決手段】携帯型給湯器１は、水を貯留するタンク１２と、タンク１２の底部に凹設された内釜１３と、タンク１２を貫通して内釜１３に連結された排気管１４とを有して構成されている。内釜１３は、タンク１２の水が循環流通するように両端がタンク１２に連通された加熱管１３１を備えており、加熱管１３１の外壁及び排気管１４の流路の一部にそれぞれコルゲートフィン１３２及び１４１が付設されている。【選択図】図５
0003152200.tif 000002
【実用新案登録請求の範囲】
【請求項１】
カセットガスコンロ又はカセットガストーチバーナを利用して湯沸かしをする携帯型給湯器であって、
水を貯留するタンクと、
前記タンクの底部又は側部に凹設された内釜と、
前記タンクを貫通して前記内釜に連結された排気管と、
を有することを特徴とする、携帯型給湯器。
【請求項２】
前記内釜は、
前記タンクの水が流通循環するように両端が前記タンクに連通された加熱管と、
前記加熱管の外壁に付設されたコルゲートフィンと、
を備えたことを特徴とする、請求項１に記載の携帯型給湯器。
【請求項３】
前記内釜は、略角柱状、略円柱状、略楕円柱状、略截頭角錐状、略截頭円錐状、略截頭楕円錐状、略截頭半球状又は略截頭半楕円体状の複数の加熱室が多段重ねに凹設されてなることを特徴とする、
請求項１又は２に記載の携帯型給湯器。
【請求項４】
前記排気管は、流路の少なくとも一部にコルゲートフィンを備えたことを特徴とする、
請求項１〜３の何れか１項に記載の携帯型給湯器。
【請求項５】
前記タンクに連通した給湯用蛇口を更に備えたことを特徴とする、
請求項１〜４の何れか１項に記載の携帯型給湯器。
【請求項６】
カセットガスコンロ又はカセットガストーチバーナを更に備えたことを特徴とする、
請求項１〜５の何れか１項に記載の携帯型給湯器。
【請求項７】
カセットガスコンロを収容するコンロ収容部を更に備え、
前記コンロ収容部は、三方が防風壁で囲繞されていることを特徴とする、
請求項１〜６の何れか１項に記載の携帯型給湯器。
【請求項８】
前記コンロ収容部は、カセットガスコンロのボンベ収納部を外部に突出させるための開口部を側面に有することを特徴とする、
請求項７に記載の携帯型給湯器。
【請求項９】
ポンプと前記ポンプにシャワーホースを介して連結されたシャワーヘッドとからなる携帯型シャワーを更に備えたことを特徴とする、
請求項１〜８の何れか１項に記載の携帯型給湯器。
【考案の詳細な説明】
【技術分野】
【０００１】
本考案は、野外で簡単に温湯シャワー等を供給することのできる携帯型給湯器に関する。
【背景技術】
【０００２】
従来、水を充填したポリタンク等の容器を吊り下げて容器内の水を自然落下させたり、手動ポンプや電池、自動車電源等で駆動するポンプを用いて揚水散水する携帯型の簡易シャワーが知られており（例えば、特許文献１，２参照）、海水浴、サーフィン、スキューバダイビング、キャンプ等で利用されている。
【先行技術文献】
【特許文献】
【０００３】
【特許文献１】特開２００１−１０４１９８号公報
【特許文献２】特開２００１−１０４１９９号公報
【考案の概要】
【考案が解決しようとする課題】
【０００４】
上述した従来の携帯型シャワーは給湯手段を備えていないので、温湯シャワーを供給することができず、利用できる期間が夏場に限定されるという問題があった。しかし、今日、サーフィン、スキューバダイビング等のマリンスポーツは、スーツ等の用具の発達により夏季はもちろん春秋や真冬でも行われるオールシーズンスポーツとなってきており、設備のない野外で行われるこれらのマリンスポーツ等において、特に夏季以外で事後に現場で温湯シャワーを浴びたいとする要望が強かった。
【０００５】
本考案は上記従来技術の有する問題点に鑑みなされたものであり、その目的とするところは、野外で簡単に温湯シャワー等を供給することができる携帯型温湯器を提供することにある。
【０００６】
本考案の他の目的は、小型で可搬性に優れ安価に製造することができる携帯型温湯器を提供することにある。
【０００７】
本考案の更に他の目的は、短時間で効率よくかつ経済的に温湯を作ることができる携帯型温湯器を提供することにある。
【課題を解決するための手段】
【０００８】
本考案の上記目的は、下記の手段によって達成される。
【０００９】
（１）すなわち、本発明は、カセットガスコンロ又はカセットガストーチバーナを利用して湯沸かしをする携帯型給湯器であって、水を貯留するタンクと、前記タンクの底部又は側部に凹設された内釜と、前記タンクを貫通して前記内釜に連結された排気管と、を有することを特徴とする、携帯型給湯器である。
【００１０】
（２）本発明はまた、前記内釜は、前記タンクの水が流通循環するように両端が前記タンクに連通された加熱管と、前記加熱管の外壁に付設されたコルゲートフィンと、を備えたことを特徴とする、（１）に記載の携帯型給湯器である。
【００１１】
（３）本発明はまた、前記内釜は、略角柱状、略円柱状、略楕円柱状、略截頭角錐状、略截頭円錐状、略截頭楕円錐状、略截頭半球状又は略截頭半楕円体状の複数の加熱室が多段重ねに凹設されてなることを特徴とする、（１）又は（２）に記載の携帯型給湯器である。
【００１２】
（４）本発明はまた、前記排気管は、流路の少なくとも一部にコルゲートフィンを備えたことを特徴とする、（１）〜（３）の何れか１項に記載の携帯型給湯器である。
【００１３】
（５）本発明はまた、前記タンクに連通した給湯用蛇口を更に備えたことを特徴とする、（１）〜（４）の何れか１項に記載の携帯型給湯器である。
【００１４】
（６）本発明はまた、カセットガスコンロ又はカセットガストーチバーナを更に備えたことを特徴とする、（１）〜（５）の何れか１項に記載の携帯型給湯器である。
【００１５】
（７）本発明はまた、カセットガスコンロを収容するコンロ収容部を更に備え、前記コンロ収容部は、三方が防風壁で囲繞されていることを特徴とする、（１）〜（６）の何れか１項に記載の携帯型給湯器である。
【００１６】
（８）本発明はまた、前記コンロ収容部は、カセットガスコンロのボンベ収納部を外部に突出させるための開口部を側面に有することを特徴とする、（７）に記載の携帯型給湯器である。
【００１７】
（９）本発明はまた、ポンプと前記ポンプにシャワーホースを介して連結されたシャワーヘッドとからなる携帯型シャワーを更に備えたことを特徴とする、（１）〜（８）の何れか１項に記載の携帯型給湯器である。
【考案の効果】
【００１８】
本考案の携帯型給湯器は、カセットガスコンロ又はカセットガストーチバーナを利用して湯沸かしをするので、野外で極めて簡単に温湯シャワー等を供給することができる。また、小型で構造が簡易であるため、安価に製造することができ、持ち運びにも優れている。
【００１９】
また、本考案の携帯型給湯器は、タンクの底部又は側部に凹設された内釜と、前記タンクを貫通して前記内釜に連結された排気管とを有して構成されるので、カセットガスコンロのバーナの火力からタンク内部の水への熱伝達が高効率に行われるとともに、排気管内を通過する高熱の排気ガスとタンク内の水とで熱交換が行われることにより、極めて効率的に湯沸かしを行うことができる。
【００２０】
特に、内釜にコルゲートフィンが付設された加熱管を備えたり、排気管の少なくとも一部にコルゲートフィンを備えることにより、更に熱効率を高めることができ、短時間で効率よくかつ経済的に温湯を作ることができる。
【００２１】
また、内釜を、略角柱状、略円柱状、略楕円柱状、略截頭角錐状、略截頭円錐状、略截頭楕円錐状、略截頭半球状又は略截頭半楕円体状の複数の加熱室が多段重ねに凹設された構造とすることによっても、カセットガスコンロのバーナによる内釜の実質的な加熱面積を増大させることができるので、極めて高効率かつ経済的に温湯を得ることができる。
【図面の簡単な説明】
【００２２】
【図１】本考案の第１の実施形態にかかる携帯型給湯器１の外部構成を示す斜視図である。
【図２】携帯型給湯器１の平面図である。
【図３】携帯型給湯器１の正面図である。
【図４】携帯型給湯器１の底面図である。
【図５】携帯型給湯器１の内部構成を示すＡ−Ａ断面図である。
【図６】携帯型給湯器１のＢ−Ｂ断面図である。
【図７】携帯型給湯器１の使用態様を示す概念図である。
【図８】本考案の第２の実施形態にかかる携帯型給湯器４の底面図である。
【図９】携帯型給湯器４の内部構成を示すＣ−Ｃ断面図である。
【図１０】本考案の第３の実施形態にかかる携帯型給湯器５の底面図である。
【図１１】携帯型給湯器５の内部構成を示すＤ−Ｄ断面図である。
【考案を実施するための形態】
【００２３】
以下、本考案の実施の形態を、図面を参照して詳細に説明する。
【００２４】
図１は、本考案の第１の実施形態にかかる携帯型給湯器１の外部構成を示す斜視図であり、図２、図３及び図４はそれぞれ、その平面図、正面図及び底面図である。図１〜４に示すように、携帯型給湯器１は、略直方体状の箱型構造を有しており、機械的強度が高く、耐熱性、防水性及び防錆性に優れた素材、例えばアルミニウム、ステンレス鋼等の金属等からできている。
【００２５】
携帯型給湯器１の底面全体及び１つの側面の下端部は開口しており、当該開口部にカセットガスコンロを収容するためのコンロ収容部１１が形成されている。
【００２６】
また、携帯型湯沸かし器１の上面には、内部のタンクに給水等を行うための注水口１２１及びカセットガスコンロの燃焼ガスを排気するための排気口１４２の２つの略円形状の開口部が設けられており、注水口１２１には防塵や異物混入防止のための注水口キャップ１２２が、排気口１４２には逆風防止のための側部に排気用開口部を有する排気口キャップ１４３が、それぞれ着脱自在に嵌着されている。同じく上面には、携帯用シャワーのホースを係止するための係止ピン１５等も備えられている。
【００２７】
更に、携帯型湯沸かし器１は、側面の１つに給湯を行うための蛇口１６を備えるとともに、対向する２つの側面に両端部が軸支された略コ字状の可動式取っ手１７を備えており、取っ手１７を把持して上方に持ち上げることにより容易に運搬可能に構成されている。
【００２８】
図５は、携帯型給湯器１の内部構成を示すＡ−Ａ断面図であり、図６はＢ−Ｂ断面図である。図５に示すとおり、コンロ収容部１１の側面は３方が防風壁１１１で囲繞されており、コンロ収容部１１に収容したカセットガスコンロのバーナが風の影響を受けることなく安定した燃焼を行えるようになっている。また、コンロ収容部１１の側面の１つは開口しており、収容したカセットガスコンロのボンベ収納部を当該開口部から外部に突出させることにより、カセットガスボンベの過熱による爆発事故を有利に防止する構造になっている。
【００２９】
また、コンロ収容部１１の上部には水又は加熱後の温湯を貯留するためのタンク１２が形成されており、コンロ収容部１１とタンク１２とは底壁１１２を介して仕切られている。
【００３０】
図４及び図５に示すように、携帯型給湯器１は、底壁１１２の略中央に略立方体状に凹設された内釜１３を有している。内釜１３の内部には、断面略矩形状の２つの加熱管１３１が貫設されており、加熱管１３１の両端はタンク１２と連通されていて、タンク１２中の水が加熱管１３１内を流通、循環可能に構成されている。また、加熱管１３１の外壁面のうち対向する２つの幅広面にはコルゲートフィン１３２が付設されており、カセットガスコンロのバーナの火力から加熱管１３１内部の水への熱伝達が高効率に行われるようになっている。このコルゲートフィン１３２には、熱抵抗が小さく熱伝導性の高い素材、例えば銅、アルミニウム等の金属板を九十九折状に加工したもの等が利用される。
【００３１】
また、図５及び図６に示すように、内釜１３の上部には略円筒状の排気管１４が連設されており、カセットガスコンロのバーナによる内釜１３内の燃焼ガスを排気口１４２から外部に排気するようになっている。この排気管１４の内部にも、コルゲートフィン１４１が２箇所に亘って配設されており、排気管１４内を通過する高温の排気ガスとタンク１２内の水とで熱交換を行うことにより、携帯型給湯器１の加熱効率を更に向上させることができる。コルゲートフィン１４１には、コルゲートフィン１３２と同様の金属板を排気管の断面形状に合わせて九十九折状又は花弁状等に加工したもの等が利用される。
【００３２】
次に、携帯型給湯器１の使用方法について説明する。図７は、携帯型給湯器１の使用態様を示す概念図である。まず、図７に示すように、カセットガスコンロ２を地面等のような水平で火気的に安全な場所に設置し、カセットガスコンロ２のバーナ部２１が携帯型給湯器１の内釜１３の略中心部に位置するように底壁１１２を五徳２２上に載置して、携帯型給湯器１のコンロ収容部１１にカセットガスコンロ２を収容する。この際、カセットガスコンロ２のボンベ収納部２３がコンロ収容部１１の側面の開口部から外部に突出するようにする。
【００３３】
次に、注水口キャップ１２２を取り外して注水口１２１からタンク１２内に給水し、カセットガスコンロ２を点火してタンク内の水が所定温度の温湯になるまで加熱する。この際、加熱管１３１のコルゲートフィン１３２及び排気管１３１のコルゲートフィン１４１によりカセットガスコンロ２の火力がタンク内の水に高効率に熱伝達されるとともに、暖められた水により加熱管１３１及びタンク１２内に自然対流が生じ、水が効率よく循環、加熱されるので、極めて短時間で経済的に所定温度の温湯を得ることができる。タンク内の水が所定温度の温湯になったらカセットガスコンロ２を消火する。得られた温湯は、蛇口１６を開栓して給湯するか、携帯型シャワー３を駆動して給湯する。
【００３４】
携帯型シャワー３は、防水型の水中ポンプ３１と、水中ポンプ３１にシャワーホース３２を介して連結されたシャワーヘッド３３とからなり、電源コード３４、スイッチ３５及びシガープラグ３６を介して自動車のシガーソケット（図示せず）に接続されるようになっている。携帯型シャワー３の水中ポンプ３１を携帯型給湯器１の注水口１２１からタンク１２内に投入し、スイッチ３５をオンにすると、水中ポンプ３１が作動してタンク１２中の温湯が汲み上げられ、シャワーホース３２を介してシャワーヘッド３３から給湯される。
【００３５】
図８は、本考案の第２の実施形態にかかる携帯型給湯器４の底面図であり、図９は、携帯型給湯器４の内部構成を示すＣ−Ｃ断面図である。なお、本実施形態に係る携帯型給湯器４は、第１の実施形態に係る携帯型給湯器１と同様に、注水口キャップ、排気口キャップ、蛇口、取っ手、係止ピン等を備えているが、ここでは説明の簡略化のためこれらを省略した構成で示している（後述する第３の実施形態においても同様である）。
【００３６】
図８及び図９に示すように、携帯型給湯器４は、底壁４１２の略中央に略直方体状の３つの加熱室４３１、４３２及び４３３が３段重ねに凹設されてなる内釜４３を備えている。内釜をこのような構造とすることにより、カセットガスコンロのバーナによる内釜の実質的な加熱面積を増大させることができ、コルゲートフィンが付設された加熱管を用いなくても短時間で効率よくかつ経済的に温湯を作ることができる。また、内釜に加熱管やコルゲートフィン等の複雑な構造を要しないので、携帯型給湯器を安価に製造することができる。
【００３７】
内釜４３の上部には、タンク４２を貫通して外部に連通した排気管４４が連結されており、排気管４４の内壁を介して排気管４４内を通過する高熱の排気ガスとタンク４２内の水とで熱交換を行うことにより、更に効率的に湯沸かしを行うことができる。
【００３８】
また、防風壁４１１の上面の一部にはガラス板が嵌め込まれた確認窓４８が設けられるとともに、コンロ収容部４１内の確認窓４８の直下にはミラー４９が設置されており、防風効果を保持しつつカセットガスコンロのバーナの着火状態等を確認することができる。
【００３９】
図１０は、本考案の第３の実施形態にかかる携帯型給湯器５の底面図であり、図１１は、携帯型給湯器５の内部構成を示すＤ−Ｄ断面図である。図１０及び図１１に示すように、携帯型給湯器５は、底壁５１２の略中央に略截頭半楕円体状の３つの加熱室５３１、５３２及び５３３が３段重ねに凹設されてなる内釜５３を備えている。内釜をこのような構造とすることにより、第２の実施形態の場合と同様に、カセットガスコンロのバーナによる内釜の実質的な加熱面積を増大させることができ、コルゲートフィンが付設された加熱管を用いなくても短時間で効率よくかつ経済的に温湯を作ることができる。
【００４０】
本考案は上述した実施形態に限定されるものではなく、本考案の要旨を逸脱しない範囲内において種々変更を加え得ることは勿論である。
【００４１】
例えば、上記実施形態に係る携帯型給湯器が備える上記各部材の形状、位置、数量等は上記実施形態の例に限定されるものではなく、第１の実施形態において、タンク、内釜、加熱管等の形状は、円筒状、楕円筒状等であってもよいし、排気管等の形状は、楕円筒状、角筒状等であってもよい。また、加熱管の数は、１本又は３本以上であってもよいし、加熱管のコルゲートフィンは加熱管の外壁面の１面のみ又は３面若しくは４面全てに設けられていても構わない。更に、排気管中のコルゲートフィンは流路中に１箇所のみ又は３箇所以上に部分的に設けられていてもよいし、排気管の流路全体に亘って設けられていてもよい。更に、本考案の携帯型給湯器は、必ずしも注水口キャップ、排気口キャップ、係止ピン、蛇口、取っ手等を具備していなくても構わない。
【００４２】
また、第２及び第３の実施形態において、内釜を構成する加熱室の形状は、略直方体状や略截頭半楕円体状以外にも、三角柱、五角柱等の略角柱状、略円柱状、略楕円柱状、截頭三角錐、截頭四角錐等の略截頭角錐状、略截頭円錐状、截頭楕円錐、略截頭半球状、略截頭半楕円体状等であってもよく、また、これらは３段重ね以外にも２段重ねや４段重ね以上に凹設されても構わない。
【００４３】
また、上記実施形態に係る携帯型給湯器では内釜がタンク底部に凹設された構造を有していたが、内釜をタンクの側部に凹設し、カセットガスコンロに替えてカセットガスボンベにトーチ型のバーナを取り付けたカセットガストーチバーナを利用して内釜を加熱する構成としても良い。
【００４４】
また、上記実施形態では、携帯型シャワーの水中ポンプは自動車等の外部ＤＣ電源を利用するものであったが、乾電池、充電池等の内部ＤＣ電源（バッテリ電源）を利用するものであってもよいし、外部ＡＣ電源を利用するものであっても良い。更には、水中ポンプを用いずにタンク外から手動ポンプや電動ポンプで汲水する構成であっても構わない。
【産業上の利用可能性】
【００４５】
上述したように、本考案の携帯型給湯器は、野外で極めて簡単に温湯シャワー等を供給することができるので、サーフィン、スキューバダイビング等のマリンスポーツやキャンプ等で利用した場合極めて有用である。
【符号の説明】
【００４６】
１、４、５    携帯型給湯器
１１、４１、５１    コンロ収容部
１１１、４１１、５１１    防風壁
１１２、４１２、５１２    底壁
１２、４２、５２    タンク
１２１    注水口
１２２    注水口キャップ
１３、４３、５３    内釜
４３１，４３２，４３３，５３１，５３２，５３３    加熱室
１３１    加熱管
１３２、１４１    コルゲートフィン
１４、４４、５４    排気管
１４２、４４２、５４２    排気口
１４３    排気口キャップ
１５    係止ピン
１６    蛇口
１７    取っ手
２    カセットガスコンロ
２１    バーナ部
２２    ボンベ収納部
３    携帯型シャワー
３１    水中ポンプ
３２    シャワーホース
３３    シャワーヘッド
３４    電源コード
３５    スイッチ
３６    シガープラグ
４８、５８    確認窓
４９、５９    ミラー
【図１】
0003152200.tif 000003
【図２】
0003152200.tif 000004
【図３】
0003152200.tif 000005
【図４】
0003152200.tif 000006
【図５】
0003152200.tif 000007
【図６】
0003152200.tif 000008
【図７】
0003152200.tif 000009
【図８】
0003152200.tif 000010
【図９】
0003152200.tif 000011
【図１０】
0003152200.tif 000012
【図１１】
0003152200.tif 000013